(57)【要約】      （修正有）【課題】取付けの際の部分的な伸びなどを防止して全周に亘って安定した水封止をするカルバートにおけるゴム輪の取付構造の提供。【解決手段】コンクリートカルバート１の雄形開口端２の外面中間にエンドレス形の浅い凹溝３を設ける。凹溝３にゴム輪４の内半を嵌付ける。ゴム輪４の内径は凹溝３の底面径３ｂと同径である。ゴム輪４の外半は凹溝３より突出して、雌形開口端５に嵌付けたときに該開口端５面に圧着して水封止の作用をする。なおゴム輪４は内半部を突出する外半部よりも硬度を強くする二重構造にして、圧着により外半部が変形しても内半部はそのままの形状を維持して嵌付け状態を安定して保持するようにしている。【選択図】図２
0003111924.tif 000002
【実用新案登録請求の範囲】
【請求項１】
コンクリートカルバートの雄形開口端の中間外面に凹溝を周設し、該凹溝に内径大きさを凹溝の底面径と同径に形成するゴム輪を嵌付け、該ゴム輪の外半を凹溝より突出させたことを特徴とするカルバートにおけるゴム輪の取付構造。
【請求項２】
凹溝は断面形を蟻溝形とする請求項１記載の取付構造。
【請求項３】
コンクリートカルバートの雄形開口端の中間外面にインサートによるゴム面を周設し、該ゴム面を接着面にして内径を該ゴム面の外周径と同径に形成するゴム輪を嵌着したことを特徴とするカルバートにおけるゴム輪の取付構造。
【請求項４】
凹溝内またはインサートのゴムは凹溝外に突出するゴム輪より硬度を強くする請求項１乃至３のいずれかに記載のカルバートにおけるゴム輪の取付構造。
【考案の詳細な説明】
【技術分野】
【０００１】
この考案はカルバートにおけるゴム輪の取付構造に関するものである。
【背景技術】
【０００２】
コンクリートカルバートの雄形開口端の中間外面にゴム輪を嵌付けて雌形開口端に嵌着して連結する際に該ゴム輪を圧着介在させて水封止することは従来から行われている。
【特許文献１】なし
【考案の開示】
【考案が解決しようとする課題】
【０００３】
しかしながら、雄形開口端のコンクリート面へのゴム輪の接着取付けは剥離しやすくして、雌形開口端への嵌挿連結の際にゴム輪がズレて水封止の作用をしないおそれが生ずるという課題がある。
【０００４】
また、従来はカルバートの雄形開口端の外形大きさよりゴム輪径を小に形成して該ゴム輪を拡げながら雄形開口端に嵌着するようにしているので、ゴム輪の一部が拡げにより偏って伸びて水封止のための弾力を失うという課題がある。
【課題を解決するための手段】
【０００５】
本考案はコンクリートカルバートの雄形開口端の中間外面に凹溝を周設し、該凹溝に内径大きさを該凹溝の底面径と同径に形成するゴム輪を嵌付け、該ゴム輪の外半を凹溝より突出させ、およびコンクリートカルバートの雄形開口端の中間外面にインサートによるゴム面を周設し、該ゴム面を接着面にして内径を該ゴム面の外周径と同径に形成するゴム輪を嵌着するようにして、かかる課題を解決するようにしたのである。
【考案の効果】
【０００６】
本考案はコンクリートカルバートの雄形開口端の中間外面に設ける凹溝の内底面径と内径大きさを同径とする、つまり一対一の大きさにてゴム輪を形成して、該ゴム輪を該凹溝に嵌着するようにしたので、ゴム輪を拡げることによって生じていた部分的に偏って伸びる個所がなく、全周に亘って水封止のための弾力を強く持続する効果を生ずることとなる。
【０００７】
インサートゴム面を接着面にしてゴム輪を嵌着することにより、ゴム輪は雄形開口端の中間に強力に嵌着して剥離やズレ動きを確実に防止するという効果を生ずる。
【０００８】
凹溝内のゴムはインサートゴム面とともに凹溝外に突出する部分より硬度を突出し部分より強くすることにより、ゴム輪は安定して圧着して水封止を続けるという効果を生ずる。
【考案を実施するための最良の形態】
【０００９】
本考案は、コンクリートカルバートの雄形開口端の中間外面に断面形を蟻溝形とした凹溝を周設し、該凹溝に内径大きさを凹溝の底面径と同径に形成するゴム輪を嵌付け、該ゴム輪の外半を凹溝より突出させ、該凹溝内のゴム部分は凹溝外に突出するゴム輪より硬度を強くするのである。
【実施例１】
【００１０】
図２に示すようにコンクリートカルバート１の雄形開口端２の外面中間にエンドレス形、すなわち無端の浅い凹溝３を設ける。凹溝３の外面は図３に示すように開口３ａしており、この開口３ａ面より図４に示すようにゴム輪４の内半を嵌付けるのである。ゴム輪４の内径は凹溝３の底面径３ｂと同径である。つまりゴム輪４はエンドレスの凹溝３と一対一の内径大きさにて形成するのである。ゴム輪４の外半は凹溝３より突出して、雌形開口端５に嵌付けたときに該開口端５面に圧着して水封止の作用をすることとなる。なおゴム輪４は内半部を突出する外半部よりも硬度を強くする二重構造にして、圧着により外半部が変形しても内半部はそのままの形状を維持して嵌付け状態を安定して保持するようにしている。
【実施例２】
【００１１】
図５は凹溝を奥側の拡がった蟻溝形３ｃに形成した例を示すもので、ゴム輪４ａの内半はこの蟻溝形３ｃに合わせて形成する。ゴム輪４ａを嵌込むときに多少の変形圧力は要するが、嵌着後はより安定性を発揮するものとなる。
【実施例３】
【００１２】
図６はインサートしたゴム輪体６ａの表出したゴム面６を接着面にして一対一の内面径の大きさにて形成するゴム輪６ｂを接着嵌付けした例を示している。コンクリートカルバート１を成形するに当って雄形開口端の外面に沿ってゴム輪体６ａをインサートして、成形されたコンクリートカルバート１の雄形開口端の中間外面にエンドレスにてゴム面６を表出させ、このインサートゴム面６に接着剤を塗布して内面径をゴム面６と同径とする一対一の大きさにて形成するゴム輪６ｂを接着嵌付けするのである。ゴム同士の接着は一体化するほどに強力なものとなるため、コンクリート面にゴム輪を接着する場合に較べて著しく安定してゴム輪６ｂの嵌着が不動となり、ずれ動きなどが一切生じないものとなる。なおインサートするゴム輪体６ａは嵌着するゴム輪６ｂより硬度を強くすることは前例と同じである。
【産業上の利用可能性】
【００１３】
本考案のカルバートにおけるゴム輪の取付構造は、以上のようにして雌雄形開口端間の嵌着にて連結するコンクリートカルバートの連結部の安定確実な水封止用として広く利用することができるものである。
【図面の簡単な説明】
【００１４】
【図１】カルバートの斜視図
【図２】同、ゴム輪の取付前の状態にて示す断面図
【図３】同、部分拡大図
【図４】ゴム輪を嵌付けた状態を示す断面図
【図５】凹溝を蟻溝形にし、ゴム輪の内半を同形に形成した例を示す
【図６】（ａ）はゴム輪体をカルバートにインサート成形してゴム面を表出し、ゴム輪を取付けする前の状態にて示す部分拡大断面図、（ｂ）は同、接着嵌着した状態を示す断面図
【図７】雄形開口端の形状２例を示す正面図
【符号の説明】
【００１５】
１はカルバート
２は雄形開口端
３は凹溝
３ｂは凹溝の底面
３ｃは蟻溝形の凹溝
４はゴム輪
４ａは蟻溝嵌込み用のゴム輪
５は雌形開口端
６はインサートされたゴム輪体のゴム面
６ａはゴム輪体
６ｂはゴム輪
【図１】
0003111924.tif 000003
【図２】
0003111924.tif 000004
【図３】
0003111924.tif 000005
【図４】
0003111924.tif 000006
【図５】
0003111924.tif 000007
【図６】
0003111924.tif 000008
【図７】
0003111924.tif 000009